(57)【要約】【課題】  グリセリン水溶液を封入することなく、耐振動および耐脈動性に極めて優れたブルドン管式圧力計を提供することを目的とする。また、当該圧力計の提供により、これまでのグリセリン水溶液を封入する方法では応用が不可能であった未開拓分野に、圧力計スイッチを提供する事を目的とする。【解決手段】  ポンプによって揚力を得る流路の圧力測定用に取り付けられる圧力計において、；当該圧力計の株の内部の流体導入入口部とブルドン管に至る流体導入路の間に、特定の特徴を有する脈動減衰装置（測定流体の圧力減少に適した複雑な流路が形成されている装置）が内包され、；流体導入入口部から侵入した測定流体が、当該装置の一方のパイプから入って当該装置の減衰拡大部を通過して、他方のパイプから出てブルドン管に至るものである、；ことを特徴とする、脈動および振動が顕著に減衰されたブルドン管式圧力計を提供する。【選択図】  図１
2011252876.tif 000002
【特許請求の範囲】
【請求項１】
ポンプによって揚力を得る流路の圧力測定用に取り付けられる圧力計において、；当該圧力計の株の内部の流体導入入口部とブルドン管に至る流体導入路の間に、下記（ａ）および（ｂ）の特徴を有する脈動減衰装置が内包され、；流体導入入口部から侵入した測定流体が、当該装置の一方のパイプから入って当該装置の減衰拡大部を通過して、他方のパイプから出てブルドン管に至るものである、；ことを特徴とする、脈動および振動が顕著に減衰されたブルドン管式圧力計。
（ａ）：減衰拡大部の両端に前記パイプが連結され、前記パイプの内側に前記パイプの内径よりも外径の小さい中実棒が挿入された形状を有してなり、前記パイプの内側と前記中実棒の外側の間に、測定流体の流路が形成されている装置。
（ｂ）：前記減衰拡大部内に流路撹乱素材が充填され、当該流路撹乱素材どうしの間に、測定流体の流路が形成されている装置。
【請求項２】
前記流路撹乱素材が、直径の異なる球体状の素材を混合した素材、および／または、流路と垂直方向にならないように詰められた棒状素材である、請求項１に記載の圧力計。
【請求項３】
前記脈動減衰装置が、圧力計の株の内側に直接内包されたものである、もしくは、圧力計に取り付け可能な株部品の内側に内包されたものである、請求項１又は２のいずれかに記載の圧力計。
【請求項４】
前記圧力計の株の内部に内包された前記脈動減衰装置のブルドン管に至る流体導入路側のパイプに、もしくは、前記ブルドン管に至る流体導入路に、；さらに前記脈動減衰装置が別途連結されたものである、請求項１〜３のいずれかに記載の圧力計。
【請求項５】
前記脈動減衰装置のパイプの一端もしくは両端が、流路と垂直方向にならないように曲げられた形状のものである、請求項１〜４のいずれかに記載の圧力計。
【請求項６】
前記圧力計の株とブルドン管の株とが、カシメ板で挟まれた防振具を介して連結されたものである、請求項１〜５のいずれかに記載の圧力計。
【請求項７】
圧力計本体内にグリセリン水溶液を封入しないにも関わらず、顕著に脈動および振動を減衰させることが可能となったものである、請求項１〜６のいずれかに記載の圧力計。
【請求項８】
請求項７に記載の圧力計に、電気的及び／又は電子的な接点を有するスイッチ類を搭載した圧力計スイッチ。
【発明の詳細な説明】
【技術分野】
【０００１】
本発明は、耐振動および耐脈動性に優れたブルドン管式圧力計に関する。詳しくは、耐脈動減衰装置を内包させることにより、耐振動および耐脈動対策として圧力計本体内にグリセリン水溶液を充填する必要がなくなったブルドン管式圧力計に関する。
【背景技術】
【０００２】
従来、振動下および脈動下での圧力測定において、圧力計の指針が振れて、圧力計測を出来ない場合や、圧力計の製品寿命に影響がある場合は、圧力計本体にグリセリン水溶液を充填する工法を唯一としてきた。
グリセリン入り圧力計は、振動や脈動が十分に減衰出来ないために生じる圧力計の指針が振動してしまう課題や、指針の基軸上にある圧力計内機の歯車を摩耗させてしまうとう課題を、グリセリン水溶液の粘度により指針の振れを抑え、結果内機の歯車の摩耗も同時に抑えて完成された物である。
当該グリセリン入り圧力計は、特許権の消滅に合わせ、競って国内メーカーから発売されるに至った（例えば非特許文献１〜３参照）。また、耐振性の向上を目指した各種技術（例えば特許文献１〜３参照）も開発されてきたが、いずれもグリセリン等の封入を前提とするものであった。
【０００３】
しかしながら、グリセリン水溶液入り圧力計は、具体的には次の様な制約を受ける圧力計である。
（１）グリセリン水溶液を封入してあり、圧力計は密閉構造で高コストとなる。
（２）周辺温度により、精度が著しく変化するので、遮熱の装置がいる。また、使用出来る温度は、‐5〜45℃である。
（３）測定対流と同じ程度の高さに設置する必要があり、高さ１ｍで約1/10気圧の誤差が生じる。取付位置による別途仕様が必要である。
（４）グリセリン液と内部構造物とが干渉しあって変色するため、交換の要がある。
（５）ブルドン管が破損した場合、測定液によるガラス面の破損、グリセリン水溶液の飛散防止装置を要する。
（６）ケース内圧が0.3〜0.4Mpa程度に上がるとゴム栓が飛び出し、グリセリン水溶液が飛散するので、その対処を要する。
（７）グリセリン水溶液は消防法第４類第３石油相当とし、一度引火すると消火が困難である事。
【０００４】
このように、グリセリン水溶液入り圧力計は、製造に高コストを要するものである。また、密閉することになり、ブルドン管管破により、ガラスの飛散、グリセリン水溶液の飛散防止、等々対処してきたが、密閉構造上から故の事故は無くす事ができないものである（例えば非特許文献４参照）。
さらに、圧力計の用途に応じて求められている各種機能（例えば各種製造ライン現場に於けるトラブル発生の告知機能など）を持つ圧力スイッチは、工法上、グリセリン水溶液が充填されているが故に具備させることが不可能であった。従って、この分野の圧力計スイッチは、全く開発が進まず未開拓分野であった。
【０００５】
また、グリセリン水溶液を封入していない圧力計（家庭用等の各種水圧ポンプに使用されている）の場合は、それ程重要な事故につながらないと想定されるものである。
しかし、発生振動、脈動圧の1/10程度の減衰しか出来ない構造の廉価な圧力計となっているので、すぐ精度が狂い単に付いているだけの物になってしまい商品全体の信用をなくしてしまうので、基本対策が求められているが、対策が無いままであった。
【先行技術文献】
【特許文献】
【０００６】
【特許文献１】米国特許６２１６５４１号明細書
【特許文献２】米国特許６６５１５０７号明細書
【特許文献３】特開平８−９４４６５号公報
【非特許文献】
【０００７】
【非特許文献１】長野計器株式会社製品カタログ集  グリセリン入圧力計（http://www.ynex.co.jp/ykc/aturyoku/CD-NKS/nks-menu.htm）
【非特許文献２】ASK株式会社油圧・水圧計測機器＆アクセサリー製品情報  グリセリン圧力計（http://www.ask-co.com/products/i_pressureGauge/opg_39）
【非特許文献３】株式会社第一計器製作所  グリセリン入圧力計（http://www.daiichikeiki.co.jp/product/general/glycerin_01.html）
【非特許文献４】株式会社第一計器製作所  グリセリン入圧力計  取扱説明書http://www.daiichikeiki.co.jp/download/pdf/glycerin_manual.pdf
【発明の概要】
【発明が解決しようとする課題】
【０００８】
本発明は、上記の課題を解決し、グリセリン水溶液を封入することなく、耐振動および耐脈動性に極めて優れたブルドン管式圧力計を提供することを目的とする。
また、当該圧力計の提供により、これまでのグリセリン水溶液を封入する方法では応用が不可能であった未開拓分野に、圧力計スイッチを提供する事を目的とする。
【課題を解決するための手段】
【０００９】
上記のように、従来のグリセリン入り圧力計は、当時の加工技術の最高位にあった流量、流速減衰装置のスロットルでは減衰できなかった振動や脈動を、グリセリン水溶液の粘度により指針の振れを抑え、結果内機の歯車の摩耗も同時に抑えて完成させた物である。
そこで、本発明者は、振動および脈動の発生量の減衰方法に着目し、何故多義に亘るトラブル発生源を持つ、グリセリンの充填をしなければならないかの視点に想到した。
そして、減衰率の高い装置を圧力計の株の中等に内包させ、測定流体が当該装置を経てからブルドン管に至らせる事によって、流量、流速の減衰率を現状の1/50〜1/1000程度に減少できることを見出した。そして、当該工程を用いた圧力計では、振動や脈動下の使用においても、グリセリンの充填は不要になるとの知見に想到した。
本発明は、これらの知見に基づいて完成するに至った。
【００１０】
即ち、請求項１に係る本発明は、ポンプによって揚力を得る流路の圧力測定用に取り付けられる圧力計において、；当該圧力計の株の内部の流体導入入口部とブルドン管に至る流体導入路の間に、下記（ａ）および（ｂ）の特徴を有する脈動減衰装置が内包され、；流体導入入口部から侵入した測定流体が、当該装置の一方のパイプから入って当該装置の減衰拡大部を通過して、他方のパイプから出てブルドン管に至るものである、；ことを特徴とする、脈動および振動が顕著に減衰されたブルドン管式圧力計に関する。
（ａ）：減衰拡大部の両端に前記パイプが連結され、前記パイプの内側に前記パイプの内径よりも外径の小さい中実棒が挿入された形状を有してなり、前記パイプの内側と前記中実棒の外側の間に、測定流体の流路が形成されている装置。
（ｂ）：前記減衰拡大部内に流路撹乱素材が充填され、当該流路撹乱素材どうしの間に、測定流体の流路が形成されている装置。
また、請求項２に係る本発明は、前記流路撹乱素材が、直径の異なる球体状の素材を混合した素材、および／または、流路と垂直方向にならないように詰められた棒状素材である、請求項１に記載の圧力計に関する。
また、請求項３に係る本発明は、前記脈動減衰装置が、圧力計の株の内側に直接内包されたものである、もしくは、圧力計に取り付け可能な株部品の内側に内包されたものである、請求項１又は２のいずれかに記載の圧力計に関する。
また、請求項４に係る本発明は、前記圧力計の株の内部に内包された前記脈動減衰装置のブルドン管に至る流体導入路側のパイプに、もしくは、前記ブルドン管に至る流体導入路に、；さらに前記脈動減衰装置が別途連結されたものである、請求項１〜３のいずれかに記載の圧力計に関する。
また、請求項５に係る本発明は、前記脈動減衰装置のパイプの一端もしくは両端が、流路と垂直方向にならないように曲げられた形状のものである、請求項１〜４のいずれかに記載の圧力計に関する。
また、請求項６に係る本発明は、前記圧力計の株とブルドン管の株とが、カシメ板で挟まれた防振具を介して連結されたものである、請求項１〜５のいずれかに記載の圧力計に関する。
また、請求項７に係る本発明は、圧力計本体内にグリセリン水溶液を封入しないにも関わらず、顕著に脈動および振動を減衰させることが可能となったものである、請求項１〜６のいずれかに記載の圧力計に関する。
また、請求項８に係る本発明は、請求項７に記載の圧力計に、電気的及び／又は電子的な接点を有するスイッチ類を搭載した圧力計スイッチに関する。
【発明の効果】
【００１１】
本発明は、グリセリン水溶液を封入することなく、耐振動および耐脈動性に極めて優れたブルドン管式圧力計を提供することを可能とする。
また、当該圧力計の提供により、これまでのグリセリン水溶液を封入する方法では応用が不可能であった未開拓分野に、精密な圧力計スイッチを提供する事を可能とする。
【００１２】
また、本発明により、次の効果が奏される。
（１）現在の圧力計の構成部品の外観性能を変えることなく、大幅な測定流体の圧力の減衰が出来ることにより、製品の耐久性能の向上が可能となり、製品の信用が向上する。また、測定流体の流出は、霧状態であるし音も伴わなくなり、少量で済むため大事故を回避することが可能となる。また、圧力計のブルドン管の取り付け工法の省力化及び圧力計ブルドン管の小型化が可能となる。
（２）また、グリセリンを充填することにより生じた全ての欠陥を除去することが可能となる。具体的には、グリセリン水溶液の封入工程が不要となるため、ブルドン管管破による事故を大幅に削減可能となる。
これにより、今迄グリセリン入り圧力計でも不可能とされてきた新規市場の開拓が可能となることが期待される。
（３）特に、最もこの市場に求められた極めて精度の高い圧力測定が可能な制御機能を持つ圧力計スイッチや圧力計センサーの提供が可能になる。
また、将来、市場が求められることが予想される各種圧力計の製品を提供するに当たり、最も基本となる技術となることが期待される。
【図面の簡単な説明】
【００１３】
【図１】本発明の圧力計の内部構造を示す図である。
【図２】本発明の圧力計の株部分の内部構造を示す図である。
【図３】本発明の圧力計の株部分のみを別途製造した態様（取り付け器具の形態）の内部構造を示す図である。
【図４】本発明における圧力計の脈動減衰装置の内部構造を示す図である。（ａ）流路撹乱素材として球体状の素材を充填した態様。（ｂ）流路撹乱素材として棒状の素材を充填した態様。（ｃ）上記（ｂ）の態様におけるＡＡの断面図。
【図５】本発明の圧力計の株に内包された脈動減衰装置に加えて、脈動減衰装置を別途有する実施態様を示す図である。
【図６】本発明の圧力計の実施態様の一例の外観を示す図である。
【図７】本発明の圧力計スイッチの実施態様の一例の外観を示す図である。
【図８】本発明の圧力計スイッチの実施態様の一例（マイクロスイッチを搭載した態様）の外観を示す図である。
【図９】本発明の圧力計スイッチの実施態様の一例（フォトセンサースイッチを搭載した態様）の内部構造を示す図である。
【発明を実施するための形態】
【００１４】
以下、本発明の実施形態について、図面に基づいて説明する。
〔圧力計概略〕
本発明のブルドン管式圧力計の一例について、以下の図により説明する。まず、図１は、本発明の脈動減衰装置を内包させたブルドン管式圧力計の一例を示す図である。また、図２は、当該圧力計の株部分の内部構造の一例を示す図である。
本発明においては、図１，２に示すように、脈動減衰装置１が、当該圧力計の株２の内部の流体導入入口部３とブルドン管に至る流体導入路４の間に、内包されたものである。
ここで、流体導入入口部３から侵入した測定流体は、脈動減衰装置１の一方のパイプ５ａから入って当該装置の減衰拡大部６を通過して、他方のパイプ５ｂから出て、流体導入路４に至るものである。
なお、図１においては、流体導入路４に達した測定流体は、圧力導入パイプ７に至りブルドン管に至るものである。また、図２においては、流体導入路４に達した測定流体は、ブルドン管取り付け位置８に至りブルドン管に至るものである。
なお、脈動減衰装置１の内包のさせ方は、通常の工法によって可能であり、ねじ込み等によりセットすることができる。
【００１５】
なお、図１，２は、脈動減衰装置１が圧力計の株２の内側に直接取り付けられた態様を示すものである。
さらに図３で示すように、当該脈動減衰装置１を内包させた圧力計の株部分２Ａ（取り付け器具の形態）を別途製造して、部品として通常のブルドン管式圧力計に取り付け可能な態様とすることもできる。この図３の態様において、圧力計取り付穴９にブルドン管式圧力計の株を取り付けることで、通常のブルドン管式圧力計を、耐振動および耐脈動に優れた圧力計とすることができる。
【００１６】
〔脈動減衰装置〕
また、図４は、本発明における脈動減衰装置の一態様を示す内部構造を示す図である。
脈動減衰装置１は、減衰拡大部６の両端にパイプ５（５ａ，５ｂ）が連結され、パイプ５の内側に前記パイプの内径よりも最大幅の小さい中実棒１０が挿入された形状を有してなる構造のものである。なお、中実棒１０は、減衰拡大部６を貫くように挿入した形状であってもよい。
当該構造により、パイプ５の内側と前記中実棒１０の外側の間には、測定流体の流路が形成される。このようにパイプ内の流路を狭めた構造にすることによって、測定流体の圧力を減衰させる点で好適である。
【００１７】
ここで、パイプ５としては、圧力計の用途に応じて、内径や材質が様々なものを用いることができる。例えば、内径としては0.2ｍｍ以上のもの（好ましくは0.4ｍｍ以上のもの）を挙げることができる。また、上限としては、10.0ｍｍ以下のもの（好ましくは2.0ｍｍ以下もの）を挙げることができる。
また、材質としては、黄銅製、ステンレス製、樹脂製などのものを挙げることができるが、測定流体によって腐食や劣化を起し難い材質のものが望ましい。なお、図４では、内径0.6ｍｍ外径0.8ｍｍの黄銅製のものを用いた態様である。
パイプ５の形状としては、測定流体の出入り口となる一端（好ましくは両端）が、流路と垂直方向にならないように曲げられた形状であることが好適である。例えば、流路と90〜180°の方向で曲げられたものが好ましい。また、パイプの途中で折り曲げる、蛇行させる等、流路の方向を変える形状にした場合、方向が変わる箇所での圧力減衰に効果に加えて、流路自体を長くすることもできるため好適である。
なお、図４の右側のパイプ５（５ｂ）は、途中で流路と180°の方向で曲げられた形状のものである。このような構造にすることによって、測定流体の圧力を減衰できる点で好適である。
また、パイプ５の長さは、長いほど測定流体の圧力を減衰させる点で好適である。
【００１８】
中実棒１０としては、外径の最大幅が、前記パイプ５の内径よりも小さいものであれば用いることができる。好ましくは、パイプ５の内側と前記中実棒１０の外側の間に測定流体の狭い流路が形成されるように、外径がパイプの内径の70〜95％程度のものであることが望ましい。
また、材質としては、ステンレス製、黄銅製、樹脂製などのものを挙げることができるが、測定流体によって腐食や劣化を起し難い材質のものであることが望ましい。なお、図４では、外径0.5ｍｍ（パイプ５の内径の83.3％の大きさ）のステンレス製のものを用いた態様である。
また、中実棒１０の形状としては、通常の棒状のものでもよいが、ひだを有する形状、螺旋状、突起が多数有する形状など、流路が複雑になる形状であるものも好適に用いることができる。また、パイプ５に２本以上の中実棒１０を挿入して、より複雑な流路を形成させることもできる。
【００１９】
また、減衰拡大部６は、内部に流路撹乱素材１１が充填されたものである。
ここで、減衰拡大部６としては、前記パイプ５と接続された穴以外は密閉された空間を有してなるものである。当該密閉状の空間の断面積は、前記パイプ５よりも大きいものであることが望ましい。
減衰拡大部６の形状は、如何なるものでもよいが、例えば、パイプ状、直方体状、多角柱体状、円柱状など、内部に空間を有し流路撹乱素材の充填に適したものであればよい。
材質としては、劣化、破損、腐食を起し難い材質のものであれば、如何なるものでもよい。好ましくは、黄銅製、ステンレス製、樹脂製などのものを挙げることができる。なお、図４は、0.6ｃｍ（直径）×1.2ｃｍ（長さ）の円柱状のものを用いた態様である。
【００２０】
この流路撹乱素材どうしの間には、測定流体の流路が形成される。なお、当該流路は、複雑な流路であるほど流体の流れが互いに干渉され（流路が撹乱され）、測定流体の圧力の減衰につながり好ましい。
また、ここで流路撹乱素材１１としては、減衰拡大部６の内部に充填した際に、減衰拡大部６の内部の空間を埋めて複雑な流路を形成できる形状と大きさのものであれば、如何なるものも用いることができる。
具体的には、球体状の素材、棒状の素材、螺旋状の素材、傘状の素材、リング状の素材、テトラポッド状の素材などを挙げることができる。
また、当該素材の材質としては、使用する測定流体によって、劣化、破損、腐食を起し難い材質のものであれば、如何なるものでもよい。好ましくは、樹脂製、セラミック製、黄銅製、ステンレス製などのものを挙げることができる。
また、当該素材の大きさとしては、減衰拡大部６に充填した際に、減衰拡大部６の内部の空間を埋めて、流路を形成できるような大きさであればよい。
なお、当該素材の形状や大きさを組み合わせて、流路が複雑化する状態になるように調節して充填することが好ましい。また、大きさや長さなどが不揃いの素材を混合して用いるほど、複雑な流路が形成できるため望ましい。
【００２１】
なお、例えば、球体状の素材を充填して用いる場合、図４ａに示すように、大小の直径の異なる球体状の素材を混合して用いる方が好ましい。
また、棒状の素材を充填して用いる場合、図４ｂに示すように、太さや長さの異なる短い棒状素材を流路と垂直にならない方向で詰める方が好ましい。
【００２２】
脈動減衰装置１を通過することで、振動や脈動によって生じた測定流体の圧力を、１／５００程度以下まで顕著に減衰させることが可能となる。なお、測定流体は、霧状になる程度にまで減衰させることも可能となる。
【００２３】
〔脈動減衰装置を複数有する態様〕
図１〜３の圧力計の株は、図４に示す脈動減衰装置１を１つだけ内包させた態様であるが、２以上の脈動減衰装置１の入口側のパイプ５ａとで出口側のパイプ５ｂを直列に連結させた態様のものを、内包させた態様とすることもできる。
【００２４】
また、前記圧力計の株の内部に内包させた前記脈動減衰装置１（図５では１ａ）とは別途に、圧力計の株２とブルドン管の株１４の間に脈動減衰装置１（図５では１ｂ〜１ｅ）をさらに有する態様とすることもできる。例えば、図５は、前記圧力計の株の内部に内包させた前記脈動減衰装置１ａに加えて、圧力導入パイプ７の位置に、さらに４つの脈動減衰装置１ｂ〜１ｅを直列に連結させた態様を示すものである。
具体的に図５の態様を説明すると、まず、流体導入路４には（もしくは脈動減衰装置１ａの出口側のパイプ５ｂに直接）、脈動減衰装置１ｂの入口側のパイプ５ｃが接続されている。そして、脈動減衰装置１ｂの出口側のパイプ５ｄと脈動減衰装置１ｃの入口側のパイプ５ｅ、脈動減衰装置１ｃの出口側のパイプ５ｆと脈動減衰装置１ｄの入口側のパイプ５ｇ、脈動減衰装置１ｄの出口側のパイプ５ｈと脈動減衰装置１ｅの入口側のパイプ５i、が連結されている。そして最終的には、脈動減衰装置１ｅの出口側のパイプ５ｊを介してブルドン管に到る態様となっている。
なお、設置する脈動減衰装置１の数としては、多いほど測定流体の圧力を減衰させることが可能となる。使用用途等に応じて、求める減衰率に達することができる数を設置することができる。
【００２５】
〔振動除去機構〕
また、本発明の圧力計は、前記圧力計の株とブルドン管の株とが、カシメ板で挟まれた防振具を介して連結されたものとする（即ち、圧力計そのものの株と計測用の株とを防振具を介して分離した構造とする）ことで、より耐振性に優れたものとすることができる。  なお、従来の圧力計の工法は、圧力導入路を持つ株（圧力計の株）にブルドン管を直接取り付けて製造するものであるため、耐震を求めても、その減衰率は小さいものであった
【００２６】
具体的には、図１に示すように、前記圧力計の株２の上にカシメ板１２ａを取り付けられ、その上に防振具１３を介してカシメ板１２ｂに連結されたものである。そして、さらにそのカシメ板１２ｂの上には、ブルドン管を有する株１４が固定されて（カシメられて）なるものである。
ここで、防振具１３としては、具体的にはスプリング、バネなどが防振支持具に接続されたものを挙げることができる。
また、カシメ板１２としては、圧力計の株２や防振具１３を固定支持できる板状のものであればよく、材質としては、鉄製、黄銅製、ステンレス製、樹脂製のものを挙げることができる。
なお、ブルドン管の株を固定する側のカシメ板１２ｂ（図１では、周囲を立ち上げてツバを形成した形状にしたもの）は、圧力計の外枠１５と保持具１６を介して固定されたものである。保持具１６としては、ブルドン管が固定されたカシメ板１２ｂを保持できる形状のものであればよく、ゴム製、樹脂製などの外枠との空間を埋めるものであればよい。特にゴム製のものであると、振動の吸収にも効果があり好適である。
【００２７】
〔使用態様〕
本発明の圧力計は、前記脈動減衰装置１を内包させることによって、ポンプによって揚力を得る振動および脈動下の（さらには共振が起こっている）流路において、圧力測定を行うことが可能となるものである。なお当該圧力計は、流路となるパイプ、配管だけでなく、ポンプそのものに設置するものも想定されたものである。
ここで、本発明の圧力計によって測定可能な測定流体としては、水、農薬の水溶液、消毒液の水溶液、油、ガソリン、軽油、オイル、空気、二酸化炭素、窒素、酸素などを含むものである。特に、液体である、水、各種水溶液、油などにおいて好適に用いることができる。
【００２８】
具体的な振動や脈動下の環境としては、農薬散布時のポンプによる散布機、消防自動車油圧ポンプ、大型工作機械、コンプレッサーなどを挙げることができる。
また、本発明の圧力計は、前記防振具を有することによって、激烈な振動下での圧力測定を目的とする場合でも、特に有効な圧力計とすることができる。
【００２９】
上記のような、本発明の脈動減衰装置を内包させた圧力計は、耐振動性および耐脈動性が顕著に向上したことにより、グリセリン水溶液の封入が不要となる。
なお、図６は、本発明の圧力計を示す正面全体像である。このように、従来のグリセリン水溶液を封入した圧力計と外観をほぼ変えることなく、製造できるものである。（なお、従来のグリセリン水溶液封入型との外観上の相違は、グリセリン水溶液の上限線と暴発防止弁が設置されている点で異なる。）
【００３０】
本発明の圧力計は、グリセリン水溶液の封入のために実現が阻まれていた制御スイッチ類の搭載が可能となる。このため、極めて高い精度の圧力計スイッチや圧力計センサーの提供が可能となる。
例として、図７に、「圧力計スイッチ」に応用した態様の正面全体像を示す。図７では、圧力設定針セットネジ１９で設定した圧力（圧力設定針２０が指す値）に達した時に、リード線２１を介して、信号が送信することができる態様となっている。
なお、図８に、マイクロスイッチ２２を搭載の圧力計スイッチに応用した態様の正面全体像を示す。なお、図８では、脈動減衰装置１が内包された圧力計株２は、当該圧力計スイッチの背面に設置された態様になっている。
また、図９に、特許4291402号に記載された圧力計スイッチに応用した態様の断面図を示す。図９では、設定した圧力値に達した場合にフォトセンサースイッチ２３で信号が発生し、リード線２１を介して、信号が送信することができる態様となっている。
【産業上の利用可能性】
【００３１】
本発明は、グリセリン水溶液封入型の圧力計では実現が不可能であるために、世界の圧力計業界が今日迄手づかずのままの幅広い産業分野（例えば製造ライン等）において、精密圧力スイッチ類を提供することを可能とする。
また、水圧動力噴霧器の圧力計等は、激烈な脈動や振動により短寿命で製品全体の信用を失わせるであったが、本発明により長寿命な圧力計の実現することが可能となる。
【符号の説明】
【００３２】
１  ：脈動減衰装置
２  ：圧力計の株
２Ａ：圧力計の株部分
３  ：流体導入入口部
４  ：流体導入路
５  ：パイプ
６  ：減衰拡大部
７  ：圧力導入パイプ
８  ：ブルドン管取り付け位置
９  ：圧力計取り付穴
１０  ：中実棒
１１  ：流路撹乱素材
１２  ：カシメ板
１３  ：防振具
１４  ：ブルドン管を有する株
１５  ：圧力計の外枠
１６  ：保持具
１７  ：圧力計本体
１８  ：圧力計指針
１９  ：圧力設定針セットネジ
２０  ：圧力設定針
２１  ：リード線
２２  ：マイクロスイッチ
２３  ：フォトセンサースイッチ
【図１】
2011252876.tif 000003
【図２】
2011252876.tif 000004
【図３】
2011252876.tif 000005
【図４】
2011252876.tif 000006
【図５】
2011252876.tif 000007
【図６】
2011252876.tif 000008
【図７】
2011252876.tif 000009
【図８】
2011252876.tif 000010
【図９】
2011252876.tif 000011
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
ポンプによって揚力を得る流路の圧力測定用に取り付けられる圧力計において、；当該圧力計の株の内部の流体導入入口部とブルドン管に至る流体導入路の間に、下記（ａ）および（ｂ）の特徴を有する脈動減衰装置が内包され、；流体導入入口部から侵入した測定流体が、当該装置の一方のパイプから入って当該装置の減衰拡大部を通過して、他方のパイプから出てブルドン管に至るものである、；ことを特徴とする、脈動および振動が顕著に減衰されたブルドン管式圧力計。
（ａ）：減衰拡大部の両端に前記パイプが連結され、前記パイプの内側に前記パイプの内径よりも外径の小さい中実棒が挿入された形状を有してなり、前記パイプの内側と前記中実棒の外側の間に、測定流体の流路が形成されている装置。
（ｂ）：前記減衰拡大部内に流路撹乱素材が充填され、当該流路撹乱素材どうしの間に、測定流体の流路が形成されている装置。
【請求項２】
前記流路撹乱素材が、直径の異なる球体状の素材を混合した素材、および／または、流路と垂直方向にならないように詰められた棒状素材である、請求項１に記載の圧力計。
【請求項３】
前記脈動減衰装置が、圧力計の株の内側に直接内包されたものである、もしくは、圧力計に取り付け可能な株部品の内側に内包されたものである、請求項１又は２のいずれかに記載の圧力計。
【請求項４】
前記脈動減衰装置のパイプの一端もしくは両端が、流路と垂直方向にならないように曲げられた形状のものである、請求項１〜３のいずれかに記載の圧力計。
【請求項５】
圧力計本体内にグリセリン水溶液を封入しないにも関わらず、顕著に脈動および振動を減衰させることが可能となったものである、請求項１〜４のいずれかに記載の圧力計。
【手続補正２】
【補正対象書類名】明細書
【補正対象項目名】００１０
【補正方法】変更
【補正の内容】
【００１０】
即ち、請求項１に係る本発明は、ポンプによって揚力を得る流路の圧力測定用に取り付けられる圧力計において、；当該圧力計の株の内部の流体導入入口部とブルドン管に至る流体導入路の間に、下記（ａ）および（ｂ）の特徴を有する脈動減衰装置が内包され、；流体導入入口部から侵入した測定流体が、当該装置の一方のパイプから入って当該装置の減衰拡大部を通過して、他方のパイプから出てブルドン管に至るものである、；ことを特徴とする、脈動および振動が顕著に減衰されたブルドン管式圧力計に関する。
（ａ）：減衰拡大部の両端に前記パイプが連結され、前記パイプの内側に前記パイプの内径よりも外径の小さい中実棒が挿入された形状を有してなり、前記パイプの内側と前記中実棒の外側の間に、測定流体の流路が形成されている装置。
（ｂ）：前記減衰拡大部内に流路撹乱素材が充填され、当該流路撹乱素材どうしの間に、測定流体の流路が形成されている装置。
また、請求項２に係る本発明は、前記流路撹乱素材が、直径の異なる球体状の素材を混合した素材、および／または、流路と垂直方向にならないように詰められた棒状素材である、請求項１に記載の圧力計に関する。
また、請求項３に係る本発明は、前記脈動減衰装置が、圧力計の株の内側に直接内包されたものである、もしくは、圧力計に取り付け可能な株部品の内側に内包されたものである、請求項１又は２のいずれかに記載の圧力計に関する。
また、請求項４に係る本発明は、前記脈動減衰装置のパイプの一端もしくは両端が、流路と垂直方向にならないように曲げられた形状のものである、請求項１〜３のいずれかに記載の圧力計に関する。
また、請求項５に係る本発明は、圧力計本体内にグリセリン水溶液を封入しないにも関わらず、顕著に脈動および振動を減衰させることが可能となったものである、請求項１〜４のいずれかに記載の圧力計に関する。